(57)【要約】【課題】従来の非侵襲性血糖測定器の不具合を克服し、エネルギー代謝にて発生する熱に基づく測定方法を改良し、エネルギー代謝による熱に基づく測定方法と光学的な測定方法を組合せることによって、血糖の測定精度を高める。【解決手段】血糖測定探知手段５とデータ処理表示手段６とを有し、血糖測定探知手段５は一連のセンサー測定素子が含まれていて、赤外線センサー７、サーミスタ８、９、湿度センサー１０、光波受信機１２、導熱体１３があり、人体測定部位のパラメータを直接測定し、データ処理表示手段６はマイクロプロセッサ２３、マイクロプロセッサ２３とそれぞれ接続する表示ユニット２４及び記憶素子２５を備え、血糖測定探知手段５が検出した信号は拡大フィルタ、Ａ／Ｄ変換などの方法で信号を処理した後、マイクロプロセッサ２３に入り、マイクロプロセッサ２３は予め設定された計算方法でデータの処理を行ない、測定した血糖値を表示し記憶する。【選択図】図１
2019198363.tif 000002
【特許請求の範囲】
【請求項１】
上蓋（２）とこの上蓋（２）を上方に配した台座（３）とが両者の端部同士で連結されていて、前記上蓋（２）と台座（３）との間に差し入れられた指先などの人体測定部位を挟み込み可能にしたクリップ形状体（４）が、血糖測定探知手段（５）とこの血糖測定探知手段（５）からの出力信号を処理するデータ処理表示手段（６）とを有していて、
前記血糖測定探知手段（５）は、赤外線センサー（７）と近位サーミスタ（８）と遠位サーミスタ（９）と湿度センサー（１０）と発光ダイオード（１１）と光波受信機（１２）と導熱体（１３）と圧力センサー（１４）とを備えていて、
前記クリップ形状体（４）における上蓋（２）には、台座（３）の人体測定部位挟み込み面（１６）側に向けて互いに波長が異なる光を出射する少なくとも四個の発光ダイオード（１１）が組み込まれて、前記発光ダイオード（１１）から出射する光の前記波長は、６６０ｎｍ、７６０ｎｍ、８５０ｎｍ、９４０ｎｍとされ、
前記クリップ形状体（４）における台座（３）には、該台座（３）の人体測定部位挟み込み面（１６）に表出するようにして、前記光波受信機（１２）が位置し、
前記発光ダイオード（１１）から光を出射し、上蓋（２）と台座（３）との間に挟み込んだときの人体測定部位を透過した前記光が前記光波受信機（１２）に入射されるように、発光ダイオード（１１）と光波受信機（１２）とを対向配置していて、
前記光波受信機（１２）は、上蓋（２）と台座（３）との間に挟み込んだときの人体測定部位を透過して入射する光に基づいて光度信号（Ａ１〜Ａ４）を出力可能に設けられており、
前記導熱体（１３）は、該導熱体（１３）の一端を、前記台座（３）の人体測定部位挟み込み面（１６）に表出する位置にしているとともに、該導熱体（１３）の他端を、台座（３）の人体測定部位挟み込み面（１６）から離間した位置にしていて、
上蓋（２）と台座（３）との間に挟み込んだときの人体測定部位に導熱体（１３）の前記一端が接して、人体測定部位から導熱体（１３）の前記一端に伝わる熱にてこの一端が温度変化可能に設けられているとともに、導熱体（１３）の一端から他端に伝わる熱にてこの他端が温度変化可能に設けられ、
前記導熱体（１３）の前記一端側に前記近位サーミスタ（８）が取り付けられ、前記他端側に前記遠位サーミスタ（９）が取り付けられていて、
前記近位サーミスタ（８）は、上蓋（２）と台座（３）との間に挟み込んだ人体測定部位が前記導熱体（１３）に接するときの前記一端の温度に基づいて抵抗信号（Ｒ１）を出力可能に設けられ、前記遠位サーミスタ（９）は、前記一端から伝わった熱による前記他端の温度に基づいて抵抗信号（Ｒ２）を出力可能に設けられており、
前記クリップ形状体（４）は、上蓋（２）と台座（３）との連結部分に、上蓋（２）と台座（３）との両者を押してこの上蓋（２）の人体測定部位挟み込み面（１５）と台座（３）の人体測定部位挟み込み面（１６）との間を閉じる方向に上蓋（２）と台座（３）とを付勢するスプリング（１７）を有するとともに、前記圧力センサー（１４）が、前記スプリング（１７）が上蓋（２）と台座（３）とを押す力を受けるように配されていて、
前記圧力センサー（１４）は、人体測定部位を上蓋（２）と台座（３）との間に挟み込んだときの前記スプリング（１７）が上蓋（２）と台座（３）とを押す力に基づいて圧力信号（Ｐ）を出力可能に設けられており、
前記赤外線センサー（７）と導熱体（１３）と光波受信機（１２）とが、上蓋（２）と台座（３）との間に前記人体測定部位を差し入れる方向に沿った方向に順にして配置されていて、
前記台座（３）には、該台座（３）の人体測定部位挟み込み面（１６）の下方に形成されている内部空間（２１）と台座（３）の周囲の外部空間とを連通させる複数の通気孔（２２）が開口されており、
前記データ処理表示手段（６）は、マイクロプロセッサ（２３）とこのマイクロプロセッサ（２３）に接続する表示ユニット（２４）と前記マイクロプロセッサ（２３）に接続する記憶素子（２５）とを有していて、
前記マイクロプロセッサ（２３）は、
前記光波受信機（１２）が検出した光度信号（Ａ１〜Ａ４）を一次拡大フィルタ回路（２９）と積分回路（３０）と二次拡大フィルタ回路（３１）とを介して受けるものとされ、
かつ、前記近位サーミスタ（８）と遠位サーミスタ（９）が検出した抵抗信号（Ｒ１、Ｒ２）を温度検出回路（２６）と拡大フィルタ回路（２７）とＡ／Ｄ変換回路（２８）とを介して受けるものとされ、
かつ、前記赤外線センサー（７）が検出した人体測定部位の輻射温度信号（Ｔ１）と環境輻射温度信号（Ｔ２）と、湿度センサー（１０）が検出した環境湿度信号（Ｄ２）と人体測定部位の周囲湿度信号（Ｄ１）と、圧力センサー（１４）が検出した圧力信号（Ｐ）とを、拡大フィルタ回路（２７）とＡ／Ｄ変換回路（２８）とを介して受けるものとされていて、
前記二次拡大フィルタ回路（３１）とＡ／Ｄ変換回路（２８）とから受けた信号に基づく処理をするマイクロプロセッサ（２３）の制御信号の出力先として、
このマイクロプロセッサ（２３）の制御信号出力部分側に配した第一制御回線（３３）に接続され、前記発光ダイオード（１１）を制御する発射装置制御回路（３２）と、
かつ、マイクロプロセッサ（２３）の制御信号出力部分側に配した第二制御回線（３４）に接続された電位差計スイッチ回路（３５）を介する前記一次拡大フィルタ回路（２９）と、
かつ、マイクロプロセッサ（２３）の制御信号出力部分側に配した第三制御回線（３６）に接続された前記二次拡大フィルタ回路（３１）と
が設けられていることを特徴とする非侵襲性血糖測定器。
【請求項２】
上蓋（２）と台座（３）の間には上ゴム接触板（１８）と下ゴム接触板（１９）が嵌め込まれている請求項１に記載の非侵襲性血糖測定器。
【発明の詳細な説明】
【技術分野】
【０００１】
本発明は人体に対して非侵襲式の血糖値測定器に関するものである。
【背景技術】
【０００２】
糖尿病は一種の内分泌の障害による疾患であり、今のところまだ糖尿病を根治する方法はなく、糖尿病の治療は頻繁に検査を行い、血糖レベルをコントロールするのが主流になっている。
【０００３】
従来の侵襲的に血液を採集して血糖値を測定する方法には欠陥が明らかに存在しており、測定中患者を傷つけ痛みを伴うため、連続して測定するのは困難である。
【０００４】
非侵襲性血糖測定技術は従来の測定方法に存在する欠陥を克服し、糖尿病患者が適宜、頻繁に血糖濃度を測定するニーズを有効に満たすことができ、血糖測定技術の発展すべき方向である。
【０００５】
例えば、非侵襲性血糖測定に利用できるとする光学的手法としては、特許文献１〜３中に示されている。
【先行技術文献】
【特許文献】
【０００６】
【特許文献１】特許第４７５４９３１号公報
【特許文献２】特表２００９-５２０５４８号公報
【特許文献３】特開２０１５−１４２６６４号公報
【発明の概要】
【発明が解決しようとする課題】
【０００７】
しかしながら、知られている非侵襲性血糖測定法は主に光学検査の技術を多く利用しているが、光学測定での障害となる要素が多く、また、個体差が大きいため、ほとんどの測定方法は実験室での研究段階にある。
【０００８】
一方、人体のエネルギー代謝で発生する熱の測定と上記光学的手法での測定を組み合わせて非侵襲性血糖測定を行なうようにすることが提案されている。人体でのエネルギー代謝の主なエネルギー物質は糖類であり、大多数の細胞組織はブドウ糖の好気的酸化過程によってエネルギーを発生させてそのエネルギーを得ている。
【０００９】
そして、バランスのとれた状態で、静的な（筋肉運動によるものではない）熱量の産生と熱量の放散は数値的に等しい場合、血中酸素量と熱量の放散で血糖値を推測することが試みられてきた。
【００１０】
しかしながら、上記試みでは、放熱量を測定する際に、対流と熱伝導及び輻射放熱だけしか考慮していないものであった。具体的には、物体の温度を一定に保つためには、物体に加えた熱（内部で発生した熱）から物体が放出した熱や仕事を差し引いたものがゼロでなければならない。人体で言えば、
【００１１】
貯熱量＝熱生産量−（伝導性放熱量＋対流性放熱量＋放射性放熱量＋蒸発性放熱量＋外部への仕事）＝０
【００１２】
という関係式が成り立っているとき、体温は一定である。しかし、上述したように対流（対流性放熱量）と熱伝導（伝導性放熱量）と輻射放熱（放射性放熱量）だけを考慮したものであった。そして、人体の蒸発熱は人体の総熱放散量に占める割合が大きいため、上記試みでは人体の蒸発熱を考慮していないことから、人体のエネルギー代謝で発生する熱の測定と上記光学的手法での測定を組み合わせた上記非侵襲性血糖測定でも、血糖値測定の精度に対して大きな制約になっている。
【００１３】
本発明は上記事情に鑑み、従来の人体のエネルギー代謝により得られる熱の測定に基づく血糖の測定方法を改良することを課題とし、人体のエネルギー代謝で発生する熱の測定と光学的手法での測定を組み合わせて、血糖の測定精度を高めた非侵襲性血糖測定器を提供することを目的とする。
【課題を解決するための手段】
【００１４】
（請求項１の発明）
本発明は上記課題を考慮してなされたもので、上蓋（２）とこの上蓋（２）を上方に配した台座（３）とが両者の端部同士で連結されていて、前記上蓋（２）と台座（３）との間に差し入れられた指先などの人体測定部位を挟み込み可能にしたクリップ形状体（４）が、血糖測定探知手段（５）とこの血糖測定探知手段（５）からの出力信号を処理するデータ処理表示手段（６）とを有していて、
前記血糖測定探知手段（５）は、赤外線センサー（７）と近位サーミスタ（８）と遠位サーミスタ（９）と湿度センサー（１０）と発光ダイオード（１１）と光波受信機（１２）と導熱体（１３）と圧力センサー（１４）とを備えていて、
前記クリップ形状体（４）における上蓋（２）には、台座（３）の人体測定部位挟み込み面（１６）側に向けて互いに波長が異なる光を出射する少なくとも四個の発光ダイオード（１１）が組み込まれて、前記発光ダイオード（１１）から出射する光の前記波長は、６６０ｎｍ、７６０ｎｍ、８５０ｎｍ、９４０ｎｍとされ、
前記クリップ形状体（４）における台座（３）には、該台座（３）の人体測定部位挟み込み面（１６）に表出するようにして、前記光波受信機（１２）が位置し、
前記発光ダイオード（１１）から光を出射し、上蓋（２）と台座（３）との間に挟み込んだときの人体測定部位を透過した前記光が前記光波受信機（１２）に入射されるように、発光ダイオード（１１）と光波受信機（１２）とを対向配置していて、
前記光波受信機（１２）は、上蓋（２）と台座（３）との間に挟み込んだときの人体測定部位を透過して入射する光に基づいて光度信号（Ａ１〜Ａ４）を出力可能に設けられており、
前記導熱体（１３）は、該導熱体（１３）の一端を、前記台座（３）の人体測定部位挟み込み面（１６）に表出する位置にしているとともに、該導熱体（１３）の他端を、台座（３）の人体測定部位挟み込み面（１６）から離間した位置にしていて、
上蓋（２）と台座（３）との間に挟み込んだときの人体測定部位に導熱体（１３）の前記一端が接して、人体測定部位から導熱体（１３）の前記一端に伝わる熱にてこの一端が温度変化可能に設けられているとともに、導熱体（１３）の一端から他端に伝わる熱にてこの他端が温度変化可能に設けられ、
前記導熱体（１３）の前記一端側に前記近位サーミスタ（８）が取り付けられ、前記他端側に前記遠位サーミスタ（９）が取り付けられていて、
前記近位サーミスタ（８）は、上蓋（２）と台座（３）との間に挟み込んだ人体測定部位が前記導熱体（１３）に接するときの前記一端の温度に基づいて抵抗信号（Ｒ１）を出力可能に設けられ、前記遠位サーミスタ（９）は、前記一端から伝わった熱による前記他端の温度に基づいて抵抗信号（Ｒ２）を出力可能に設けられており、
前記クリップ形状体（４）は、上蓋（２）と台座（３）との連結部分に、上蓋（２）と台座（３）との両者を押してこの上蓋（２）の人体測定部位挟み込み面（１５）と台座（３）の人体測定部位挟み込み面（１６）との間を閉じる方向に上蓋（２）と台座（３）とを付勢するスプリング（１７）を有するとともに、前記圧力センサー（１４）が、前記スプリング（１７）が上蓋（２）と台座（３）とを押す力を受けるように配されていて、
前記圧力センサー（１４）は、人体測定部位を上蓋（２）と台座（３）との間に挟み込んだときの前記スプリング（１７）が上蓋（２）と台座（３）とを押す力に基づいて圧力信号（Ｐ）を出力可能に設けられており、
前記赤外線センサー（７）と導熱体（１３）と光波受信機（１２）とが、上蓋（２）と台座（３）との間に前記人体測定部位を差し入れる方向に沿った方向に順にして配置されていて、
前記台座（３）には、該台座（３）の人体測定部位挟み込み面（１６）の下方に形成されている内部空間（２１）と台座（３）の周囲の外部空間とを連通させる複数の通気孔（２２）が開口されており、
前記データ処理表示手段（６）は、マイクロプロセッサ（２３）とこのマイクロプロセッサ（２３）に接続する表示ユニット（２４）と前記マイクロプロセッサ（２３）に接続する記憶素子（２５）とを有していて、
前記マイクロプロセッサ（２３）は、
前記光波受信機（１２）が検出した光度信号（Ａ１〜Ａ４）を一次拡大フィルタ回路（２９）と積分回路（３０）と二次拡大フィルタ回路（３１）とを介して受けるものとされ、
かつ、前記近位サーミスタ（８）と遠位サーミスタ（９）が検出した抵抗信号（Ｒ１、Ｒ２）を温度検出回路（２６）と拡大フィルタ回路（２７）とＡ／Ｄ変換回路（２８）とを介して受けるものとされ、
かつ、前記赤外線センサー（７）が検出した人体測定部位の輻射温度信号（Ｔ１）と環境輻射温度信号（Ｔ２）と、湿度センサー（１０）が検出した環境湿度信号（Ｄ２）と人体測定部位の周囲湿度信号（Ｄ１）と、圧力センサー（１４）が検出した圧力信号（Ｐ）とを、拡大フィルタ回路（２７）とＡ／Ｄ変換回路（２８）とを介して受けるものとされていて、
前記二次拡大フィルタ回路（３１）とＡ／Ｄ変換回路（２８）とから受けた信号に基づく処理をするマイクロプロセッサ（２３）の制御信号の出力先として、
このマイクロプロセッサ（２３）の制御信号出力部分側に配した第一制御回線（３３）に接続され、前記発光ダイオード（１１）を制御する発射装置制御回路（３２）と、
かつ、マイクロプロセッサ（２３）の制御信号出力部分側に配した第二制御回線（３４）に接続された電位差計スイッチ回路（３５）を介する前記一次拡大フィルタ回路（２９）と、
かつ、マイクロプロセッサ（２３）の制御信号出力部分側に配した第三制御回線（３６）に接続された前記二次拡大フィルタ回路（３１）と
が設けられていることを特徴とする非侵襲性血糖測定器を提供して、上記課題を解消するものである。
【００１５】
（請求項２の発明）
そして、本発明において、上蓋（２）と台座（３）の間には上ゴム接触板（１８）と下ゴム接触板（１９）が嵌め込まれていることが良好である。
【発明の効果】
【００１６】
本発明を従来の技術と比べると、次の利点と際立った効果がある。
【００１７】
（１）本発明は発光ダイオードを直接利用して測定部位の光度信号を介して血糖の測定を行うため、測定方法は便利で、取扱いが簡単である。
【００１８】
（２）本発明は対流放熱、伝導放熱、輻射放熱を考慮している以外に、蒸発放熱量も考慮している。このようにすればより正確に代謝率を計算することができ、従来の人体代謝率に基づく非侵襲性血糖測定法の不足を克服することができる。
【００１９】
（３）本発明は圧力センサーを利用しており、血液の流速と血流量の関係を修正することができるようになる。クリップ形状体による圧力作用で人体測定部位の血管が変形するが、血流量の測定に影響が極力出ないように修正することができ、最終的には血糖測定結果がより正確になる。
【００２０】
（４）本発明は光学原理を直接利用する血糖測定で必要なマイクロプロセッサと、エネルギー代謝による熱量の測定原理に利用するマイクロプロセッサとが同じであるため、一つのマイクロプロセッサが同時に二つの独立した原理による測定を実現可能としており、ハードウエアでの素子の利用率が高く、構造もコンパクトにすることができる。
【００２１】
（５）最終的な血糖測定値は二つの独立した原理で得た血糖値の総合的な結果とすればよく、この結果は確率的に実際の状況とかなり合致し、精度と参考値をより高めることができるという優れた効果を奏する。
【図面の簡単な説明】
【００２２】
【図１】本発明における非侵襲性血糖測定器の一例における垂直断面を概略的に示す説明図である。
【図２】一例を図１のＡ−Ａ線に沿った断面で概略的に示す説明図である。
【図３】非侵襲性血糖測定器の回路原理ブロックを概略的に示す説明図である。
【発明を実施するための形態】
【００２３】
つぎに本発明を図１から図３に示す実施の形態に基づいて詳細に説明する。
【００２４】
図中１は本発明に係る非侵襲性血糖測定器であり、該非侵襲性血糖測定器１は、上蓋２とこの上蓋２を上方に配した台座３とを両者の端部同士で連結して、上蓋２と台座３との間に差し入れられた指先などの人体測定部位を挟み込み可能にしたクリップ形状体４としている。そして、クリップ形状体４とされた前記非侵襲性血糖測定器１は、血糖測定探知手段５とこの血糖測定探知手段５からの出力信号を処理するデータ処理表示手段６とを有している。
【００２５】
（血糖測定探知手段）
図１と図２はそれぞれが各種センサー部材から構成されている血糖測定探知手段５各々を組み入れた構造を概略的に示した図である。
【００２６】
上記血糖測定探知手段５は、赤外線センサー７、近位サーミスタ８、遠位サーミスタ９、湿度センサー１０、発光ダイオード１１、光波受信機１２、人体の熱を伝える棒状や板状とされた導熱体１３、圧力センサー１４が含まれる。
【００２７】
（発光ダイオード、光波受信機）
光波受信機１２と発光ダイオード１１は、上蓋２と台座３との間に差し入れて挟み込まれた人体測定部位の両側（上下）に位置すると共に、相対するように配置されている。
【００２８】
具体的にクリップ形状体４における上蓋２にはこの上蓋２での人体測定部位挟み込み面１５の一部分を開口し、台座３の人体測定部位挟み込み面１６側に向けて互いに波長が異なる光を出射する四個の前記発光ダイオード１１が組み込まれている。また、光波受信機１２は、台座３の人体測定部位挟み込み面１６の位置で表出するようにしてこの台座３に組み込まれている。
【００２９】
図示されているように発光ダイオード１１と光波受信機１２とを対向配置していて、発光ダイオード１１から光を出射し、上蓋２と台座３との間に挟み込んだときの人体測定部位を透過した光が光波受信機１２に入射されるようにしている。前記光波受信機１２にあっては、上蓋２と台座３との間に挟み込んだときの人体測定部位を透過して入射する光に基づいて光度信号を出力可能に設けられている。
【００３０】
（導熱体、近位サーミスタ、遠位サーミスタ）
上記近位サーミスタ８は導熱体１３での人体測定部位に近くて接触する一端に設置している。また上記遠位サーミスタ９は導熱体１３での人体測定部位に対して離れている他端に設置している。
【００３１】
具体的に、導熱体１３は、該導熱体１３の一端を、台座３の人体測定部位挟み込み面１６に表出する位置にしているとともに、該導熱体１３の他端を、台座３の人体測定部位挟み込み面１６から離間した位置にしている。
【００３２】
そして、上蓋２と台座３との間に挟み込んだときの人体測定部位に導熱体１３の上記一端が接して、人体測定部位から導熱体１３の前記一端に伝わる熱にてこの一端が温度変化可能に設けられているとともに、導熱体１３の前記一端から上記他端に伝わる熱にてこの他端が温度変化可能に設けられている。
【００３３】
さらに、導熱体１３の一端側に上記近位サーミスタ８が取り付けられ、他端側に上記遠位サーミスタ９が取り付けられている。近位サーミスタ８は、上蓋２と台座３との間に挟み込んだ人体測定部位が導熱体１３に接するときの前記一端の温度に基づいて抵抗信号（Ｒ１）を出力可能に設けられ、前記遠位サーミスタ９は、前記一端から伝わった熱による前記他端の温度に基づいて抵抗信号（Ｒ２）を出力可能に設けられている。
【００３４】
（圧力センサー、スプリング）
上述したように、実施の形態の非侵襲性血糖測定器１は、上蓋２と台座３とを両者の端部同士で連結して指先などの人体測定部位を挟み込み可能にしたクリップ形状体４としているので、取扱いが便利であり構造がコンパクトなものとされている。そして、図１に示されているように上蓋２と台座３との連結部分となる位置にスプリング１７が配置されている。
【００３５】
具体的には、上記クリップ形状体４において、上蓋２と台座３との連結部分にスプリング１７が取り付けられていて、このスプリング１７が、上蓋２と台座３との両者を押して、上蓋２の人体測定部位挟み込み面１５と台座３の人体測定部位挟み込み面１６との間を閉じる方向に上蓋２と台座３とを付勢するものである。そして、上記圧力センサー１４が、スプリング１７による上蓋２と台座３とを押す力を受けるように配されている。
【００３６】
圧力センサー１４自体は、人体測定部位を上蓋２と台座３との間に挟み込んだときのスプリング１７が上蓋２と台座３とを押す力に基づいて圧力信号（Ｐ）を出力可能に設けられている。圧力信号は、測定結果を修正する一つのパラメータである（後述）。
【００３７】
（上下ゴム接触板）
上述したように人体測定部位を差し入れて挟み込みする部分は、上蓋２と台座３との間であり、本非侵襲性血糖測定器１の使用をより快適にするため、上蓋２には上ゴム接触板１８が取り付けられて、その上ゴム接触板１８の下面の部分を上記人体測定部位挟み込み面１５としているとともに、代打３には下ゴム接触板１９が取り付けられて、その下ゴム接触板１９の上面の部分を上記人体測定部位挟み込み面１６としている。
【００３８】
（赤外線センサーと導熱体と光波受信機の並び）
さらに血糖測定探知手段５の一つである上記赤外線センサー７は、台座３での人体測定部位の差し入れ方向での前縁に偏った側（上蓋２と台座３との連結部分とは反対側）に配置されていて、台座ケース２０の天板で開かれた開口と上記下ゴム接触板１９で開かれた開口とに対応するようにして台座ケース２０の内部に配置され、例えば差し入れた人体測定部位が発する赤外線を受信できるように設けられている。
【００３９】
そして台座３にあっては、上記赤外線センサー７と導熱体１３と光波受信機１２とが、人体測定部位を差し入れる方向に沿った方向に順にして配置されている。図１参照
【００４０】
（通気孔）
また、台座３では、台座ケース２０の側板や底板に、台座３の人体測定部位挟み込み面１６の下方となるようにして形成されている内部空間２１と台座３の周囲の外部空間とを連通させる複数の通気孔２２が開口され、血糖測定探知手段５自体の放熱がスムーズに行われるようにしている。
【００４１】
（発光ダイオードの波長）
本実施の形態では発光ダイオード１１は四つにして取り付けられており、その発光ダイオード１１から出射する光の波長は、６６０ｎｍ、７６０ｎｍ、８５０ｎｍ、９４０ｎｍとされている。なお、発光ダイオード１１は四つに限定されるものではない。
【００４２】
（上蓋と台座の成形素材）
上蓋２と台座３は絶縁材料（例：ＰＶＣ材）を採用して製作することができる。
【００４３】
（データ処理表示手段）
図３は本発明で述べるデータ処理表示手段６の回路原理を示す説明図である。データ処理表示手段６は、マイクロプロセッサ２３とこのマイクロプロセッサ２３に接続する表示ユニット２４と前記マイクロプロセッサ２３に接続する記憶素子２５と以下に示す処理回路とを有してなるものである。そして、前記マイクロプロセッサ２３は上述した各血糖測定探知手段５それぞれが出力して処理回路を経て処理された情報を受けるものとされている。
【００４４】
まず、近位サーミスタ８と遠位サーミスタ９が検出した抵抗信号Ｒ１（近位サーミスタ側から出力）と抵抗信号Ｒ２（遠位サーミスタ側から出力）は、先ず温度検出回路２６に入り、そして拡大フィルタ回路２７とＡ／Ｄ変換回路２８を通ってデジタルデータ形態でマイクロプロセッサ２３に入力される。
【００４５】
また、赤外線センサー７が検出した人体測定部位の輻射温度信号Ｔ１と環境輻射温度信号Ｔ２は、拡大フィルタ回路２７とＡ／Ｄ変換回路２８を通ってデジタルデータ形態でマイクロプロセッサ２３に入力される。
【００４６】
また、湿度センサー１０が検出した人体測定部位の周囲湿度信号Ｄ１と環境湿度信号Ｄ２は、拡大フィルタ回路２７とＡ／Ｄ変換回路２８を通ってデジタルデータ形態でマイクロプロセッサ２３に入力される。
【００４７】
一方、光波受信機１２が検出した光度信号Ａ１〜Ａ４は順番に一次拡大フィルタ回路２９、積分回路３０、二次拡大フィルタ回路３１を通ってアナログデータ形態でマイクロプロセッサ２３に入力される。
【００４８】
上記発光ダイオード１１はその発光動作が発射装置制御回路３２で制御される。そしてマイクロプロセッサ２３の出力端子側（制御信号出力側）が、第一制御回線３３を介して前記発射装置制御回路３２の入力端子側と接続している。
【００４９】
さらにマイクロプロセッサ２３は、制御信号出力側において、第二制御回線３４を介して電位差計スイッチ回路３５で一次拡大フィルタ回路２９と接続するとともに、第三制御回線３６を介して二次拡大フィルタ回路３１と接続する。
【００５０】
人体のエネルギー代謝による熱の発生の原理において、血糖が人体代謝の主なエネルギー物質と考えられており、人体の血中酸素量とエネルギー代謝で発生した総熱量は血糖レベルで推定できる。
【００５１】
熱平衡の前提で、人体のエネルギー代謝による熱産生レベルは人体の放熱レベルと基本的に等しく、前記代謝で生じた熱量は主に輻射、対流、伝導、蒸発の四つの経路で環境に放散される。
【００５２】
この四つの経路による放熱を測定すればエネルギー代謝で生じた総熱量が得られる。つまり、人体のエネルギー代謝による総熱産生量と考えられ、赤外線センサー７が検出した人体測定部位の輻射温度信号Ｔ１と環境輻射温度信号Ｔ２、及び湿度センサー１０が検出した人体測定部位の周囲湿度信号Ｄ１と環境湿度信号Ｄ２で総熱産生量を計算する。
【００５３】
血中酸素量は血流量、ヘモグロビン濃度と血中酸素飽和度で推定できる。赤外線センサー７が検出した人体測定部位の輻射温度信号Ｔ１と環境輻射温度信号Ｔ２、近位サーミスタ８が検出した導熱体１３の人体測定部位に近い（接する）一端の温度（温度検出回路２６を経た温度信号）Ｔ１′、遠位サーミスタ９が検出した導熱体１３の人体測定部位から離れた側の一端の温度（温度検出回路２６を経た温度信号）Ｔ２′、及び光波受信機１２が検出した人体測定部位の光度信号Ａ１〜Ａ４で血中酸素量を推定する。
【００５４】
光度信号Ａ１〜Ａ４は、発光ダイオード１１が発射した光波が人体測定部位を通って発生し、圧力センサー１４が検出した圧力信号Ｐは、人体測定部位の血管体積変化に対応し、測定結果を修正するパラメータとしてマイクロプロセッサ２３において修正算出式に代入する。
【００５５】
光学による血糖測定原理は、特定波長の光波が人体組織を透過する際にエネルギーの一部が人体組織に吸収され、波長ごとの異なる吸収特性によって人体血糖濃度に反応する。透過する光の光度を測定すれば、該当する血糖値が得られる。この透過する異なる波長ごとの光の光度は光波受信機１２で測定できる。
【００５６】
本実施の形態の非侵襲性血糖測定器１の動作過程は次の通りである。
【００５７】
非侵襲性血糖測定器１が、フリー状態（つまり、人体の測定部位が差し入れられていない状態）である場合、赤外線センサー７と湿度センサー１０がそれぞれ測定するのが、環境輻射温度（環境輻射温度信号Ｔ２）と環境湿度（環境湿度信号Ｄ２）である。
【００５８】
非侵襲性血糖測定器１を人体の測定部位（例えば指や耳など）に挟む場合、赤外線センサー７と湿度センサー１０がそれぞれ測定するのが、人体測定部位の輻射温度（輻射温度信号Ｔ１）と周囲湿度（周囲湿度信号Ｄ１）である。
【００５９】
これと同時に、導熱体１３は人体測定部位（例えば指や耳など）と接触していて、直ちに熱伝達現象が発生する。温度に変化が生じたため、近位サーミスタ８と遠位サーミスタ９の抵抗値に変化が生じ、この変化後の抵抗信号Ｒ１とＲ２とは温度検出回路２６に出力（送信）される。
【００６０】
発光ダイオード１１が発射した光波は人体測定部位（例えば指や耳など）を通った後、光度信号（透過スペクトル信号）Ａ１〜Ａ４として光波受信機１２で受信する。
【００６１】
スプリング１７で発生する圧力は、圧力信号Ｐとして圧力センサー１４で検出する。
【００６２】
そして、これらの測定素子で測定された量の値は三つの経路で、データ処理と表示システムに送信される。
【００６３】
即ち、人体測定部位の輻射温度信号Ｔ１、環境輻射温度信号Ｔ２、人体測定部位の周囲湿度信号Ｄ１、環境湿度信号Ｄ２、圧力信号Ｐは送信回線を通して順番に拡大フィルタ回路２７とＡ／Ｄ変換回路２８を経由してマイクロプロセッサ２３に入る。
【００６４】
また、近位サーミスタ８と遠位サーミスタ９の抵抗信号Ｒ１とＲ２は送信回線を通して温度検出回路２６に入り、抵抗信号Ｒ１とＲ２は温度信号Ｔ１′、Ｔ２′に変換し、そして、温度信号Ｔ１′、Ｔ２′は拡大フィルタ回路２７とＡ／Ｄ変換回路２８を経由してマイクロプロセッサ２３に入る。
【００６５】
また、光度信号Ａ１〜Ａ４は送信回線を通して一次拡大フィルタ回路２９に送られ、順番にこの一次拡大フィルタ回路２９、積分回路３０、二次拡大フィルタ回路３１を通ってマイクロプロセッサ２３に入る。
【００６６】
発光ダイオード１１の動作は発射装置制御回路３２で制御し、この発射装置制御回路３２は第一制御回線３３を通してマイクロプロセッサ２３と接続し、マイクロプロセッサ２３からの制御信号を受ける。一次拡大フィルタ回路２９は電位差計スイッチ回路３５で制御し、該電位差計スイッチ回路３５は第二制御回線３４を通してマイクロプロセッサ２３と接続し、マイクロプロセッサ２３からの制御信号を受ける。二次拡大フィルタ回路３１は第三制御回線３６を通してマイクロプロセッサ２３と接続し、マイクロプロセッサ２３からの制御信号を受ける。このようにすれば、発射装置制御回路３２、一次拡大フィルタ回路２９、二次拡大フィルタ回路３１は全てマイクロプロセッサ２３が制御することができる。
【００６７】
マイクロプロセッサ２３の関与と制御下で、全ての信号はマイクロプロセッサ２３に送信され、これらの信号は本発明の非侵襲性血糖測定器の原理に基づいてデータ処理を行い、これより非侵襲性血糖測定器１が測定した血糖値が得られる。
【００６８】
血糖値及びキーとなる中間データは送信回線を通してそれぞれ表示ユニット２４と記憶素子２５に入力され、データの表示とメモリ機能を実現している。マイクロプロセッサ２３はデータ処理の核心的な素子であり、次の三つの作用がある。
【００６９】
（１）全てのデータを収集すると共に、演算処理を行う。（２）制御信号を発生させ、発射装置制御回路３２、二次拡大フィルタ回路３１、電位差計スイッチ回路３５を制御する。（３）データを表示ユニット２４と記憶素子２５に送信し、表示とメモリをそれぞれ完成させる。
【符号の説明】
【００７０】
１…非侵襲性血糖測定器
２…上蓋
３…台座
４…クリップ形状体
５…血糖測定探知手段
６…データ処理表示手段
７…赤外線センサー
８…近位サーミスタ
９…遠位サーミスタ
１０…湿度センサー
１１…発光ダイオード
１２…光波受信機
１３…導熱体
１４…圧力センサー
１５…人体測定部位挟み込み面（上蓋）
１６…人体測定部位挟み込み面（台座）
１７…スプリング
１８…上ゴム接触板
１９…下ゴム接触板
２２…通気孔
２３…マイクロプロセッサ
２４…表示ユニット
２５…記憶素子
２６…温度検出回路
２７…拡大フィルタ回路
２８…Ａ／Ｄ変換回路
２９…一次拡大フィルタ回路
３０…積分回路
３１…二次拡大フィルタ回路
３２…発射装置制御回路
３３…第一制御回線
３４…第二制御回線
３５…電位差計スイッチ回路
３６…第三制御回線
【図１】
2019198363.tif 000003
【図２】
2019198363.tif 000004
【図３】
2019198363.tif 000005